(57)【要約】【課題】各種電気機器に使用されるモータにおいて、状況により温度上昇の発生する場所が異なる場合が存在しており、保護機能動作端子の本数が温度上昇発生箇所数に対して不足している制御ＩＣでも複数箇所の過熱保護機能を備えたモータ駆動装置を完成させ、安全性の向上を実現することを目的とする。【解決手段】温度上昇の発生する可能性がある該当箇所にそれぞれ感温抵抗素子４を設置し各感温抵抗素子４の信号を合成し制御ＩＣ１に入力する事により、従来の様な一箇所であった過熱保護機能から、複数箇所の過熱保護機能が実現でき安全性の向上が果たせた。【選択図】図１
2008099388.tif 000002
【特許請求の範囲】
【請求項１】
プリント配線板上に制御ＩＣを備え、前記制御ＩＣの、電圧信号により保護機能を動作させる端子一本あたりに、複数の感温抵抗素子からの信号を入力することを特徴とするモータ駆動装置。
【請求項２】
複数の感温抵抗素子を並列に接続し、その電気信号を制御ＩＣの前記端子に入力することを特徴とする請求項１記載のモータ駆動装置。
【請求項３】
複数の感温抵抗素子を直列に接続し、その電気信号を制御ＩＣの前記端子に入力することを特徴とする請求項１記載のモータ駆動装置。
【請求項４】
温度の上昇に伴い抵抗値が降下する感温抵抗素子と、温度の上昇に伴い抵抗値が上昇する感温抵抗素子を直列に接続し、その電気信号を制御ＩＣの前記端子に入力することを特徴とする請求項１記載のモータ駆動装置。
【発明の詳細な説明】
【技術分野】
【０００１】
本発明は、モータの安全性向上に関し、特に家電空調機器などに用いられるブラシレスモータを動作させるモータ駆動装置に関するものである。
【背景技術】
【０００２】
図４に示すように、従来、ブラシレスモータ４１を動作させるモータ駆動装置４２の過熱保護回路には、制御ＩＣの保護機能動作端子４３一本に感温抵抗素子４４を一個接続し、温度の変化による感温抵抗素子４４の抵抗値変化を用いて保護機能動作端子４３に入力される信号を変える事により、パワーモジュール４５からモータ４１への出力を制御するというものがある。また、モータ駆動装置に感温抵抗素子を搭載した基板を内蔵したものもある（例えば、特許文献１参照）。
【特許文献１】特開２００２−３５４８７０号公報
【発明の開示】
【発明が解決しようとする課題】
【０００３】
しかしながら、上記従来例の構成では、状況に応じて温度上昇の発生する箇所が異なる箇所に複数あるにも関わらず、一箇所の温度検出しか行われず安全性に課題があった。
【０００４】
本発明はこのような課題を解決するものであり、各種電気機器に使用されるモータにおいて、保護機能動作端子の本数が温度上昇発生箇所数に対して不足している制御ＩＣであっても、複数箇所の過熱保護機能を確立させ、モータ駆動の安全性の向上を実現することを目的とする。
【課題を解決するための手段】
【０００５】
上記課題を解決するために本発明は、温度上昇の発生する可能性がある隣接しない複数の異なる該当箇所にそれぞれ感温抵抗素子を設置し、各感温抵抗素子の信号を合成し、制御ＩＣの有する単一の保護機能動作端子に入力する事により、複数箇所の過熱保護機能を備える事を特徴とする。
【発明の効果】
【０００６】
本発明のモータ駆動装置によれば、感温抵抗素子を複数個設置する事で、一箇所の温度検出では対応できなかったあらゆる条件での温度上昇に過熱保護機能を用いる事が出来るようになり、前記駆動装置を備えるモータの安全性が向上するという効果がある。
【発明を実施するための最良の形態】
【０００７】
本発明の請求項１に記載の発明は、プリント配線板上に制御ＩＣを備え、前記制御ＩＣの、電圧信号により保護機能を動作させる端子一本あたりに、複数の感温抵抗素子からの信号を入力することを特徴とするモータ駆動装置であり、モータの安全性を向上させるという作用を有する。
【０００８】
本発明の請求項２に記載の発明は、複数の感温抵抗素子を並列に接続し、その電気信号を制御ＩＣの前記端子に入力することを特徴とする請求項１記載のモータ駆動装置であり、モータの安全性を向上させるという作用を有する。
【０００９】
本発明の請求項３に記載の発明は、複数の感温抵抗素子を直列に接続し、その電気信号を制御ＩＣの前記端子に入力することを特徴とする請求項１記載のモータ駆動装置であり、モータの安全性を向上させるという作用を有する。
【００１０】
本発明の請求項４に記載の発明は、温度の上昇に伴い抵抗値が降下する感温抵抗素子と、温度の上昇に伴い抵抗値が上昇する感温抵抗素子を直列に接続し、その電気信号を制御ＩＣの前記端子に入力することを特徴とする請求項１記載のモータ駆動装置であり、モータの安全性を向上させるという作用を有する。
【実施例１】
【００１１】
図１（ａ）に本発明のモータ駆動装置が備える過熱保護回路を、図３にその回路を基板上に実装した様子を示す。図１（ａ）、図３に示すように、制御ＩＣ１にパワーモジュール２が接続され、その先にモータ３が接続されている。そして、異なる箇所に取り付けた複数の感温抵抗素子４が並列に接続され、一方が定電圧源５に、他方が固定抵抗器６と制御ＩＣ１の保護機能動作端子７に接続されている。なお、固定抵抗器６は基準電位８に接続されている。
【００１２】
上記構成により、図３に示すように、異なる箇所に取り付けた複数の感温抵抗素子４の信号を制御ＩＣ１の温度検出端子である保護機能動作端子７に入力する事により、従来例のような一箇所のみの温度検出から複数箇所の温度検出が実現され、従来よりもさらなる安全性の向上が果たせた。
【００１３】
図１（ａ）の並列接続の場合で室温での感温抵抗素子の抵抗値をＮ０［Ω］、過熱保護機能が動作する温度での感温抵抗素子の抵抗値をＮ［Ω］として、一方のみの温度が上昇し、もう一方は室温のままであるという仮定の基で、過熱保護機能が動作する時の合成抵抗値Ｎ１を計算すると、Ｎ１＝Ｎ×Ｎ０／（Ｎ＋Ｎ０）となる。従来の一箇所のみの過熱保護機能では検出出来なかった事から「一方のみの温度が上昇する」という仮定で実用可能であるが、実際には室温よりやや温度が上昇している事が推測される。つまり、もう一方の感温抵抗素子の抵抗値はＮ０よりやや小さくなっている。ここでＮ１をＮ０の関数とみると双曲線関数であり、抵抗値の大きい領域ではＮ０と仮定した抵抗値の影響は小さい。従って複数個の感温抵抗素子を並列に接続した場合、精度良く過熱保護機能を動作させる事が出来ると言える。
【００１４】
図１（ｂ）の直列接続の場合で室温での感温抵抗素子の抵抗値をＮ０［Ω］、過熱保護機能が動作する温度での感温抵抗素子の抵抗値をＮ［Ω］として、一方のみの温度が上昇し、もう一方は室温のままであるという仮定の基で、過熱保護機能が動作する時の合成抵抗値N'を計算すると、Ｎ１＝Ｎ＋Ｎ０となる。この場合、並列接続より抵抗値が大きく消費電力の面で優れている。
【実施例２】
【００１５】
図２は、温度の上昇に伴い抵抗値が降下する感温抵抗素子９と、温度の上昇に伴い抵抗値が上昇する感温抵抗素子１０を直列に接続した過熱保護回路である。温度の上昇に伴い抵抗値が降下する感温抵抗素子９を定電圧源側に、温度の上昇に伴い抵抗値が上昇する感温抵抗素子１０を基準電位８側に直列接続することで図１（ａ）と同様の効果が得られる。
【００１６】
なお、上記各実施例において、感温抵抗素子４が２個である場合を示したが、それ以上の個数を接続しても構わない。
【００１７】
また、上記各実施例において、同じ特性の感温抵抗素子４を接続した場合を示したが、別特性の感温抵抗素子を接続する事で各所での過熱保護機能を動作させる温度を任意に設定する事も可能である。
【００１８】
また、上記各実施例において、駆動装置を制御ＩＣ１とパワーモジュール２で構成した場合を示したが、この構成をパワーモジュールとこれを駆動するドライブ回路と制御回路とがモノリシックで一つのシリコンチップ上に集積化されたワンチップＩＣに置き換えた場合や、複数のパワースイッチ素子とこれを駆動するドライバＩＣと制御ＩＣに置き換えた場合であっても同様の効果が得られる。
【産業上の利用可能性】
【００１９】
本発明のモータ駆動装置はモータだけでなく、過熱保護の必要な電気機器全体に関しても安全性を向上させ、更には採用出来るＩＣの選択肢を増やし、機器の高性能化に寄与する可能性がある。
【図面の簡単な説明】
【００２０】
【図１】（ａ）は、感温抵抗素子を並列に接続した過熱保護回路を示す図、（ｂ）は感温抵抗素子を直列に接続した過熱保護回路を示す図
【図２】温度の上昇に伴い抵抗値が降下する感温抵抗素子と温度の上昇に伴い抵抗値が上昇する感温抵抗素子を組み合わせて使用した過熱保護回路を示す図
【図３】過熱保護回路を基板上に実装した状態を示す図
【図４】従来のモータ駆動装置の過熱保護回路を示す図
【符号の説明】
【００２１】
１    制御ＩＣ
２    パワーモジュール
３    モータ
４    感温抵抗素子
５    定電圧源
６    固定抵抗器
７    保護機能動作端子
８    基準電位
９    温度の上昇に伴い抵抗値が降下する感温抵抗素子
１０    温度の上昇に伴い抵抗値が上昇する感温抵抗素子
【図１】
2008099388.tif 000003
【図２】
2008099388.tif 000004
【図３】
2008099388.tif 000005
【図４】
2008099388.tif 000006